(57)【特許請求の範囲】
【請求項１】
予め用意された複数の走行シーンに車両の走行シーンと合致するものがあるか否かを判定する判定手段と、前記判定手段によって、予め用意された複数の走行シーンに車両の走行シーンと合致するものがあると判定された場合、前記車両の走行シーンと合致した走行シーンに適した情報を含む番組表情報を生成する番組表情報生成手段と、前記番組表情報手段によって生成された前記番組表情報に従って情報提供を行う情報提供手段と、を備えた車載情報提供装置であって、
前記判定手段によって、前記予め用意された複数の走行シーンに車両の走行シーンと合致するものがないと判定された場合、ユーザに好みの走行シーンの選択を促す手段を備え、
前記番組表情報生成手段は、前記ユーザによって選択された好みの走行シーンに適した情報を含む番組表情報を生成することを特徴とする車載情報提供装置。
【請求項２】
前記車両の走行シーンと合致する走行シーンに適した情報の提供が可能か否かを判定する情報提供可否判定手段と、
前記判定手段によって、前記予め用意された複数の走行シーンに車両の走行シーンと合致するものがあると判定され、かつ、前記情報提供可否判定手段によって、前記車両の走行シーンと合致する走行シーンに適した情報の提供が不可能であると判定された場合、再生する番組表情報の内容を事前にユーザに確認する番組再生確認手段と、を備え、
前記情報提供手段は、前記ユーザによって確認された前記番組表情報に従って情報提供を行うことを特徴とする請求項１に記載の車載情報提供装置。
【発明の詳細な説明】
【技術分野】
【０００１】
車両に搭載され各種情報を提供する車載情報提供装置に関する。
【背景技術】
【０００２】
従来、ユーザの嗜好や車両の走行シーンなどの各種条件に基づいて決定された番組表情報（タイムテーブル）に従って各種情報を再生するものが提案されている（例えば、特許文献１参照）。
【０００３】
このような装置には、複数の様々な走行シーンに適したコンテンツを含む番組表情報が用意されており、車両の走行シーンが予め用意された走行シーンと合致する場合には、車両の走行シーンと合致する走行シーンに適したコンテンツを含む番組表情報に従って各種情報を提供し、車両の走行シーンと合致する走行シーンが用意されていない場合には、再生処理を中止してエラーを示すメッセージを表示する画面に遷移するものがある。
【０００４】
また、車両の走行シーンと合致する走行シーンが用意されていない場合に、車両の走行シーンと条件の近い走行シーンに適したコンテンツを含む番組表情報に従ってコンテンツを再生するものもある。
【特許文献１】特開２００５−８４７５２号公報
【発明の開示】
【発明が解決しようとする課題】
【０００５】
しかし、上記したように、車両の走行シーンと合致する走行シーンが用意されていない場合、エラーメッセージの表示画面が表示されると、再生処理を再開させるための各種操作が必要となってしまう。
【０００６】
また、上記したように、車両の走行シーンと条件の近い走行シーンに適したコンテンツを含む番組表情報に従ってコンテンツが再生された場合、ユーザの予想から大きく外れたコンテンツが提供されてしまうことが考えられる。このような場合、好みのコンテンツが提供されるように変更するためのユーザ操作が必要となってしまう。
【０００７】
このように、上記した装置では、車両の走行シーンが予め用意された走行シーンと合致しない場合、ユーザが容易に好みの走行シーンの選択することができないので、使い勝手が良くないといった問題がある。
【０００８】
本発明は上記問題に鑑みたもので、車両の走行シーンが予め用意された走行シーンと合致しない場合、ユーザが容易に好みの走行シーンを選択できるようにすることを目的とする。
【課題を解決するための手段】
【０００９】
上記目的を達成するため、本発明では、予め用意された複数の走行シーンに車両の走行シーンと合致するものがあるか否かを判定する判定手段によって、予め用意された複数の走行シーンに車両の走行シーンと合致するものがないと判定された場合、ユーザに好みの走行シーンの選択を促す手段を備え、番組表情報生成手段は、ユーザによって選択された好みの走行シーンに適した情報を含む番組表情報を生成することを第１の特徴としている。
【００１０】
このように、予め用意された複数の走行シーンに車両の走行シーンと合致するものがないと判定された場合、ユーザに好みの走行シーンの選択を促し、ユーザによって選択された走行シーンに適した情報を含む番組表情報を生成し、生成した番組表情報に従って情報提供を行うので、車両の走行シーンが予め用意された走行シーンと合致しない場合、ユーザが容易に好みの走行シーンを選択することができる。
【００１１】
また、本発明は、予め用意された複数の走行シーンに車両の走行シーンと合致するものがあると判定され、かつ、車両の走行シーンと合致する走行シーンに適した情報の提供が不可能であると判定された場合、再生する番組表情報の内容を事前にユーザに確認する番組再生確認手段を備え、情報提供手段は、ユーザによって確認された番組表情報に従って情報提供を行うことを第２の特徴としている。
【００１２】
このように、予め用意された複数の走行シーンに車両の走行シーンと合致するものがあると判定され、かつ、車両の走行シーンと合致する走行シーンに適した情報の提供が不可能であると判定された場合、再生する番組表情報の内容を事前にユーザに確認し、ユーザによって確認された番組表情報に従って情報提供を行うので、ユーザの予想から大きく外れたコンテンツが提供されることをなくすことができる。
【発明を実施するための最良の形態】
【００１３】
本発明の一実施形態に係る車載情報提供装置の全体構成を図１に示す。車載情報提供装置は、ナビゲーション装置１を用いて構成されている。ナビゲーション装置１は、位置検出部１１、操作スイッチ群１７、ＴＶチューナ１８、ＦＭ・ＡＭチューナ１９、ＣＤドライブ２０、ＤＶＤドライブ２１、ＭＤドライブ２２、外部オーディオインタフェース２３、制御回路２４、内部記憶媒体２５、表示部２６、音声出力部２７、外部情報入出力部２８およびリモコンセンサ２９を備えている。
【００１４】
位置検出器１１は、いずれも周知の地磁気センサ１２、ジャイロスコープ１３、距離センサ１４およびＧＰＳ受信機１５等のセンサを有している。これらセンサ１２〜１５は、現在位置を特定するための各種情報を制御回路２４に出力する。
【００１５】
操作スイッチ群１７は、表示部２６の表示画面の周囲に設けられた複数のメカニカルスイッチ、表示部２６の表示画面に重ねて設けられたタッチパネル等の入力装置からなり、ユーザによるメカニカルスイッチの押下、タッチパネルのタッチに応じた信号を制御回路２４に出力する。
【００１６】
ＴＶチューナ１８は、制御回路２４からの制御信号に応じてＴＶ放送局からの電波を受信し、映像信号および音声信号を制御回路２４に出力する。
【００１７】
ＦＭ・ＡＭチューナ１９は、制御回路２４からの制御信号に応じてＦＭラジオまたはＡＭラジオ放送局からの電波を受信し、音声信号を制御回路２４に出力する。
【００１８】
ＣＤドライブ２０、ＤＶＤドライブ２１、ＭＤドライブ２２は、制御回路２４からの制御に基づいて、ＣＤ、ＤＶＤ、ＭＤ等のメディアに記憶された楽曲および音楽情報を読み出して制御回路２４に出力する。これらの各ドライブ２０〜２２は、ＣＤ、ＤＶＤ、ＭＤ等の各メディアの挿入を検知すると検知信号を制御回路２４へ出力するセンサを有している。
【００１９】
外部オーディオインタフェース２３は、携帯オーディオ端末（図示せず）とケーブルを介して接続するための接続端子を有し、この接続端子を介して携帯オーディオ端末と各種データの入出力を行う。
【００２０】
内部記憶媒体２５は、ＨＤＤ（ハードディスクドライブ）等の大容量不揮発性記憶媒体によって構成されている。この内部記憶媒体２５には、制御回路２４が実行するためのプログラム、地図表示のための地図データ、目的地、目的地までの走行ルート、目的地に到着するまでの予想走行時間、楽曲および音楽情報、ユーザ嗜好情報、行動パターン情報等の情報が記憶される。
【００２１】
また、内部記憶媒体２５には、「通勤」、「デート」、「ドライブ」、「買い物」といった複数の走行シーンが定義されている。また、ユーザの操作によって、内部記憶媒体２５に走行シーンを定義することもできるようになっている。
【００２２】
表示部２６は、液晶等による表示画面を有し、制御回路２４から入力される映像信号に応じた映像を表示画面に表示させる。
【００２３】
音声出力部２７は、スピーカを有し、制御回路２４から入力される音声信号に応じた音声をスピーカから出力させる。
【００２４】
外部情報入出力部２８は、例えば、ＶＩＣＳ（登録商標）などのインフラネットワークやインターネットなどのネットワークから提供される各種外部情報を取得し、ネットワークに接続された通信装置に対して情報を発信するためのものである。この外部情報入出力部２８を介して取得される外部情報としては、例えば、天気情報（天気予報、警報、注意報など）、交通情報（通行止め情報、渋滞情報）、音楽番組、ニュース、ライブ中継などがある。なお、インターネットなどのネットワークから取得する外部情報は、ストリーミング形式やダウンロード形式等、様々な形式で取得が可能となっている。
【００２５】
リモコンセンサ２９は、ユーザの操作に基づいて赤外線等による無線信号を送信するリモコン２９ａから受信した信号を制御回路２４へ出力する。
【００２６】
制御回路２４は、メモリ、ＣＰＵ等を備えたコンピュータによって構成され、内部記憶媒体２５に記憶されたプログラムに従って各種処理を行う。また、制御回路２４は、年月日、時分秒、曜日を示す日時情報を管理する内部カレンダを有している。
【００２７】
本実施形態におけるナビゲーション装置１の内部記憶媒体２５には、製品出荷時に、数万タイトルの楽曲およびこれらの楽曲の音楽情報（アルバム名、トラック名、アーティスト名、ジャンル等）が記憶されている。
【００２８】
利用者は、内部記憶媒体２５に記憶された楽曲を予め定められた回数（例えば、３回）まで無料で試聴できるようになっており、試聴した楽曲が気に入った場合には、購入操作を行うことで楽曲を購入して何度でも聞くことが可能となる。
【００２９】
また、ナビゲーション装置１は、各ドライブ２０〜２２に挿入されたＣＤ、ＤＶＤ、ＭＤ等のメディアに記憶された楽曲を再生すると、再生した楽曲を自動的に内部記憶媒体２５にコピーする機能を備えている。この機能により、次回から、ＣＤ、ＤＶＤ、ＭＤ等のメディアの挿入操作を行うことなく、内部記憶媒体２５にコピーされた楽曲を選択操作して再生することができる。
【００３０】
また、本実施形態におけるナビゲーション装置１は、ユーザに係るユーザ基本情報をアンケート形式で入力するようになっている。ユーザ基本情報として入力される情報としては、例えば、ユーザの氏名、生年月日、性別、血液型、現住所、出身地、学歴、職種、役職、勤務地、休みの日（曜日）などのユーザ属性情報、ユーザの好みの色、好みの音、好みの匂い、好みの色、好みの音楽アーティスト、好みの音楽ジャンル、好みの書籍、好みの作家、好みの書籍ジャンル、好みのテレビ・ラジオ番組、１日の平均テレビ視聴時間、１日の平均ラジオ聴取時間、好みの食べ物、流行敏感度などのユーザ嗜好情報がある。
【００３１】
図２に示すように、内部記憶媒体２５には、スケジュールおよび走行履歴が含まれる行動パターン情報Ａとユーザの嗜好に合ったユーザ嗜好情報Ｂを記憶するユーザ情報記憶領域Ｃが設けられている。ユーザによってユーザ基本情報が入力されると、入力された情報によって初期テンプレートが生成され、ユーザ嗜好情報Ｂに記憶される。このテンプレートは、ユーザ毎に生成される。
【００３２】
本実施形態におけるナビゲーション装置１は、ユーザによる選曲操作、音楽購入操作、楽曲が記憶されたメディアの挿入操作等の各種操作を検知すると、ユーザの操作内容からユーザの嗜好に合った情報を取得して内部記憶媒体２５に記憶されたユーザ嗜好情報に追加記憶してユーザの嗜好を学習する学習機能を備えている。この学習機能によって学習したユーザの嗜好に合った番組を生成し、生成した番組に従ってユーザの嗜好に合った情報を提供するようになっている。
【００３３】
次に、図３を参照して、制御回路２４によるユーザ嗜好の学習機能について説明する。制御回路２４は、イグニッションスイッチを介してバッテリから電源が供給されると、位置検出部１１から入力される現在位置を特定するための情報に基づいて車両の現在位置を算出する現在位置算出処理等の処理を開始する。制御回路２４は、これらの各処理と並行して図３に示す処理を繰り返し行う。
【００３４】
まず、操作スイッチ群１７あるいはリモコンセンサ２９から入力される信号に基づいてユーザ操作検知を行う。具体的には、ＴＶチューナ１８、ＦＭ・ＡＭチューナ１９、ＣＤドライブ２０、ＤＶＤドライブ２１、ＭＤドライブ２２、外部オーディオインタフェース２３、内部記憶媒体２５、外部情報入出力部２８のいずれかに対するユーザの操作を検知する（Ｓ１００）。
【００３５】
ここで、ユーザの操作が検知されると、次に、操作情報を取得する（Ｓ１０２）。具体的には、ＴＶチューナ１８、ＦＭ・ＡＭチューナ１９、ＣＤドライブ２０、ＤＶＤドライブ２１、ＭＤドライブ２２、外部オーディオインタフェース２３、内部記憶媒体２５、外部情報入出力部２８に対する操作内容を示す操作情報を取得する。
【００３６】
次に、取得した操作情報に基づいて操作対象を判定する（Ｓ１０４）。具体的には、操作対象がＣＤドライブ２０、ＤＶＤドライブ２１、ＭＤドライブ２２、外部オーディオインタフェース２３に接続された携帯オーディオ端末、内部記憶媒体２５に対する楽曲再生に関するものであるか、外部情報入出力部２８に対するものであるか、ＴＶチューナ１８、ＦＭ・ＡＭチューナ１９に対するものであるかを判定する。
【００３７】
操作対象がＣＤドライブ２０、ＤＶＤドライブ２１、ＭＤドライブ２２、外部オーディオインタフェース２３に接続された携帯オーディオ端末および内部記憶媒体２５のいずれかに対するものであると判定された場合、次に、音楽情報を取得する（Ｓ１０６）。具体的には、ユーザによって選曲操作された楽曲の音楽情報（アルバム名、トラック名、アーティスト名、ジャンル等）を、選曲操作された楽曲が記憶されているメディアあるいは内部記憶媒体２５から取得する。
【００３８】
また、操作対象が外部情報入出力部２８に対するものであると判定された場合、次に、外部情報を取得する（Ｓ１０８）。具体的には、外部情報入出力部２８によって受信可能な外部情報（天気情報、交通情報、音楽番組、ニュース、ライブ中継等）の中からユーザの操作によって特定された外部情報を取得する。インターネットなどのネットワークから取得する外部情報としては、例えば、ユーザの操作によって特定されたインターネット上のウェブサイトのＵＲＬ（Ｕｎｉｆｏｒｍ  Ｒｅｓｏｕｒｃｅ  Ｌｏｃａｔｏｒ）、ウェブサイトに含まれるテキストデータ等を取得する。
【００３９】
また、操作対象がＴＶチューナ１８とＦＭ・ＡＭチューナ１９のいずれかであると判定された場合、次に、テレビ・ラジオ番組情報を取得する（Ｓ１１０）。具体的には、ＴＶチューナ１８あるいはＦＭ・ＡＭチューナ１９によって受信可能な番組の中からユーザによって選択された番組情報（受信チャンネル、放送開始時刻、放送終了時刻等）を取得し、Ｓ１１２へ進む。
【００４０】
また、Ｓ１１４では、ユーザの操作スイッチ群１７あるいはリモコンセンサ２９から入力される信号に基づいて音楽購入検知を行う。具体的には、外部情報入出力部２８を介してネットワークに接続されたセンタから音楽を視聴するためのライセンスキーを取得する購入操作が行われたかに基づいて音楽の購入操作の検知を行う。
【００４１】
ここで、音楽購入の操作が検知されると、次に、購入操作された音楽情報を取得する（Ｓ１１６）。具体的には、購入操作に基づいて購入操作された楽曲の音楽情報（アルバム名、トラック名、アーティスト名、ジャンル等）を取得し、Ｓ１１２へ進む。
【００４２】
また、Ｓ１１８では、ユーザによってＣＤドライブ２０、ＤＶＤドライブ２１およびＭＤドライブ２２のいずれかへメディアが挿入されたときに、各ドライブ２０〜２２から出力されるメディア挿入の検知信号に基づいてユーザによるＣＤドライブ２０、ＤＶＤドライブ２１、ＭＤドライブ２２へのメディア挿入の検知を行う。
【００４３】
ここで、ユーザによるＣＤドライブ２０、ＤＶＤドライブ２１およびＭＤドライブ２２のいずれかへのメディア挿入が検知されると、次に、挿入されたメディアに記憶された楽曲の音楽情報（アルバム名、トラック名、アーティスト名、ジャンル等）を取得し（Ｓ１２０）、Ｓ１１２へ進む。
【００４４】
Ｓ１１２では、このようにＳ１０６、Ｓ１０８、Ｓ１１０、Ｓ１１６、Ｓ１２０において取得したユーザの嗜好に合った情報を内部記憶媒体２５に記憶されたユーザ嗜好情報に追加記憶してユーザの嗜好を学習する。すなわち、ユーザの選曲操作によって選曲された楽曲の音楽情報（アルバム名、トラック名、アーティスト名、ジャンル等）、ユーザの操作によって特定された外部情報（天気情報、交通情報、音楽番組、ニュース、ライブ中継等）、ユーザの操作によって選択されたテレビ・ラジオ番組、ユーザの購入操作によって購入された楽曲の音楽情報、ユーザのメディアの挿入操作によって挿入されたメディアに記憶された音楽情報を、それぞれユーザの嗜好に合った情報としてユーザ嗜好情報に追加記憶してユーザの嗜好を学習し、本処理を終了する。
【００４５】
次に、図４を参照して、制御回路２４による番組生成処理について説明する。ユーザの操作に応じて表示画面にユーザ認証のための入力画面（例えば、名前とパスワードの入力画面）を表示させ、この表示画面に従ってユーザの操作により入力された情報に基づいてユーザ認証を行い、このユーザ認証によってユーザが認証されると、制御回路２４は図４に示す番組生成処理を開始する。
【００４６】
まず、車両周辺の状況を認識するためのシーン判定処理を行う（Ｓ２００）。図５に、シーン判定処理のフローチャートを示す。
【００４７】
このシーン判定処理では、まず、車両の走行シーンがどのような走行シーンかを判定する（Ｓ２０２）。具体的には、内部記憶媒体２５に記憶されたユーザ基本情報、内部カレンダから取得される年月日、時分秒、曜日を示す日時情報、外部情報入出力部２８を介して取得される天気情報や交通情報、位置検出部１１から入力される現在位置を特定するための情報に基づいて算出された現在位置、ユーザの操作に応じて入力された目的地等の各種情報に基づいて、車両の走行シーンがどのような走行シーンかを判定する。例えば、出勤日（曜日）に現住所から勤務地に至る経路上を走行中の場合、「通勤」であると判定し、休みの日（曜日）にショッピングセンターを目的地として走行中の場合、「買い物」であると判定する。
【００４８】
次に、シーン判定が成功か否かを判定する（Ｓ２０４）。具体的には、予め用意された複数の走行シーンにＳ２０２において判定された車両の走行シーンと合致するものがあるか否かに基づいてシーン判定が成功か否かを判定する。
【００４９】
ここで、予め用意された複数の走行シーンにＳ２０２において判定された車両の走行シーンと合致するものがある場合、Ｓ２０４の判定はＹＥＳとなり、次に、シーン対応データがあるか否かを判定する（Ｓ２０６）。具体的には、車両の走行シーンと合致した走行シーンに対応するデータが内部記憶媒体２５に存在するか否かを判定する。
【００５０】
ここで、車両の走行シーンと合致した走行シーンに対応するデータが内部記憶媒体２５に存在する場合、Ｓ２０６の判定はＹＥＳとなり、図４のＳ３００へ進む。
【００５１】
また、予め用意された複数の走行シーンにＳ２０２において判定された車両の走行シーンと合致するものがない場合、Ｓ２０４の判定はＮＯとなり、次に、ユーザに好みの走行シーンの選択を促すシーン選択画面を表示画面に表示させる（Ｓ２０８）。
【００５２】
このシーン選択画面の表示例を図６に示す。図に示すように、シーン選択画面には、予め用意された複数の走行シーンが表示されており、ユーザは、これらの走行シーンの中から好みの走行シーンを１つ選択するようになっている。なお、図６の「ユーザ設定１」、「ユーザ設定２」には、ユーザによって定義された走行シーンが表示される。
【００５３】
この表示画面に従って、ユーザによって好みのシーンが選択されると、Ｓ３００へ進む。
【００５４】
また、車両の走行シーンと合致した走行シーンに対応するデータが内部記憶媒体２５に存在しない場合、Ｓ２０６の判定はＮＯとなり、次に、提供可能なコンテンツを含む番組表情報をユーザに確認させる番組再生確認画面を表示画面に表示させる（Ｓ２１０）。
【００５５】
この番組再生確認画面の表示例を図７に示す。図に示すように、提供可能なコンテンツが含まれる番組表情報とともに、「シーン変更」、「音楽再生」の各スイッチが表示されている。
【００５６】
ユーザによって「シーン変更」が選択操作されると、他に用意された提供可能なコンテンツが含まれる番組表情報が表示される。また、ユーザによって「音楽再生」が選択操作されると、図４のＳ４０２へ進む。
【００５７】
図４の説明に戻り、Ｓ３００では、内部記憶媒体２５からユーザ嗜好情報を取得する。このユーザ嗜好情報は、ユーザによる各種操作内容からユーザの嗜好に合った情報が反映されたものである。
【００５８】
次に、シーン判定処理によって判定された走行シーンと内部記憶媒体２５から取得したユーザ嗜好情報に基づいてタイムテーブル（番組）を生成する（Ｓ４００）。ここで、シーン判定処理によって判定された走行シーンとは、予め用意された走行シーンと合致した車両の走行シーン、または、Ｓ２０８において表示画面に表示されたシーン選択画面に従ってユーザが選択した好みの走行シーンである。具体的には、ベイジアン・ネットワーク・モデル等の確率ネットワーク・モデルを用いて、上述したようにシーン判定処理によって判定された走行シーンとユーザの操作内容に基づいて学習したユーザ嗜好情報からユーザの嗜好と走行シーンに適した楽曲や番組を予測して、ＦＭラジオ、ＡＭラジオ、テレビ、ＣＤドライブ、ＤＶＤドライブ、ＭＤドライブ、携帯オーディオ端末、ＨＤＤオーディオ等の各情報源からユーザの嗜好に合った楽曲や番組を選択してタイムテーブルを作成する。なお、ベイジアン・ネットワーク・モデルを用いて各種情報にユーザの嗜好を反映させる技術は公知である（例えば、特開２００４−３５５０７５参照）。
【００５９】
図８に、上記シーン判定処理によって判定された走行シーンと内部記憶媒体２５から取得したユーザ嗜好情報に基づいて生成されたタイムテーブルの一例を示す。図に示すように、定期的に通知される交通情報、ＨＤＤに記憶されたユーザの好みのアーティストの音楽（ＪＰＯＰ）、ヘッドラインニュース、ＨＤＤに記憶されたユーザの好みのジャンルの音楽（最新ＪＰＯＰ）、時報、定期的に通知される交通情報、予め登録された地点のピンポイント天気情報、ＨＤＤに記憶されたユーザの好みのジャンルの音楽（ロック）といった番組内容を含むタイムテーブルが生成されている。
【００６０】
次に、生成されたタイムテーブルに従って番組再生を行う（Ｓ４０２）。具体的には、生成されたタイムテーブルに従って、ＦＭラジオ、ＡＭラジオ、テレビ、ＣＤドライブ、ＤＶＤドライブ、ＭＤドライブ、ＨＤＤオーディオ等の各情報源から音楽や番組を取得して提供する。
【００６１】
次に、シーン変更があるか否かを判定する。具体的には、シーン判定処理において決定した状況（シーン）に変更があるか否かを判定する（Ｓ４０４）。
【００６２】
ここで、シーン変更があると判定された場合、Ｓ４０４の判定はＹＥＳとなり、Ｓ２００の処理へ戻る。また、シーン変更がないと判定された場合、Ｓ４０４の判定はＮＯとなり、ユーザ嗜好情報を取得して、前に取得したユーザ嗜好情報を比較して変更が有るか否かを判定する（Ｓ４０６）。
【００６３】
ここで、変化があると判定された場合、Ｓ４０６の判定はＹＥＳとなり、Ｓ２００の処理へ戻る。また、変化がないと判定された場合、Ｓ４０６の判定はＮＯとなり、次に、タイムテーブルに従って全ての番組内容の提供が終了したか否かに基づいて番組が終了したか否かを判定する（Ｓ４０８）。
【００６４】
ここで、全ての番組内容の提供が終了してない場合、Ｓ４０８の判定はＮＯとなり、Ｓ４０２の処理へ戻る。また、全ての番組内容の提供が終了した場合、Ｓ４１８の判定はＹＥＳとなり、Ｓ２００の処理へ戻る。
【００６５】
上記した構成によれば、予め用意された複数の走行シーンに車両の走行シーンと合致するものがないと判定された場合、ユーザに好みの走行シーンの選択を促すシーン選択画面を表示画面に表示させ、シーン選択画面の表示に従って、ユーザが選択した走行シーンに適した情報を含む番組表情報を生成し、生成した番組表情報に従って情報提供を行うので、車両の走行シーンが予め用意された走行シーンと合致しない場合、ユーザが容易に好みの走行シーンを選択することができ、使い勝手を向上させることができる。
【００６６】
また、予め用意された複数の走行シーンに車両の走行シーンと合致するものがあると判定され、かつ、車両の走行シーンと合致する走行シーンに適した情報の提供が不可能であると判定された場合、再生する番組表情報の内容を事前にユーザに確認する番組再生確認画面を表示画面に表示させるので、ユーザの予想から大きく外れたコンテンツが提供されることをなくすことができる。
【００６７】
なお、本発明は上記実施形態に限定されるものではなく、本発明の趣旨に基づいて種々なる形態で実施することができる。
【００６８】
例えば、上記実施形態では、ナビゲーション装置１を用いて車載情報提供装置を構成した例を示したが、パーソナルコンピュータ（ＰＣ）や携帯端末などを用いて車載情報提供装置を構成してもよい。
【００６９】
また、上記実施形態では、Ｓ４００において、シーン判定処理によって判定された走行シーンと内部記憶媒体から取得したユーザ嗜好情報に基づいてタイムテーブル（番組）を生成する例を示したが、シーン判定処理によって判定された走行シーンのみに基づいてタイムテーブル（番組）を生成してもよい。
【００７０】
また、上記実施形態では、Ｓ２０８において、ユーザに好みの走行シーンの選択を促すシーン選択画面を表示画面に表示させ、このシーン選択画面に従ってユーザが選択した走行シーンに適した情報を提供する例を示したが、音声対話によってユーザに好みの走行シーンの選択を促してもよい。この場合、例えば、音声によってユーザに好みの走行シーンの選択を促し、ユーザの音声によって選択された走行シーンに適した情報を提供するようにしてもよい。
【００７１】
また、上記実施形態では、Ｓ２１０において、再生する番組表情報の内容を事前にユーザに確認する番組再生確認画面を表示画面に表示させ、この番組再生確認画面によりユーザが確認した番組表情報に従って情報提供を行う例を示したが、音声対話により再生する番組表情報の内容を事前にユーザに確認してもよい。この場合、例えば、音声によって再生する番組表情報の内容を事前にユーザに確認し、ユーザの音声によって番組表情報の確認を行うようにしてもよい。
【００７２】
また、上記実施形態では、Ｓ２０６において、車両の走行シーンと合致した走行シーンに対応するデータが内部記憶媒体２５に存在するか否かを判定する例を示したが、内部記憶媒体２５に記憶されているデータに限定されるものではなく、例えば、ＦＭラジオ、ＡＭラジオ、テレビ、ＣＤドライブ、ＤＶＤドライブ、ＭＤドライブ、携帯オーディオ端末、ＨＤＤオーディオ等の各情報源から車両の走行シーンと合致した走行シーンに対応するデータを入手して提供することが可能であるか否かを判定するようにしてもよい。
【００７３】
また、上記実施形態では、「通勤」、「買い物」といったように走行シーンがどのような走行シーンかを判定する例を示したが、例えば、「晴れの日の通勤で、渋滞中の一般道を走行中」、「高速道路に入口料金所に接近中」、「高速道路を走行中で、サービスエリアに接近中」といったように、より詳細に走行シーンがどのような走行シーンかを判定してもよい。これにより、例えば、高速道路に進入する手前で交通情報を提供したり、あるいは、サービスエリアに進入する手前では落ち着いた音楽を再生したりするなど、車両の走行シーンにきめ細かく対応した情報を提供することが可能である。
【００７４】
なお、上記実施形態における構成と特許請求の範囲の構成との対応関係について説明すると、Ｓ２０４の処理が判定手段に相当し、Ｓ２０８の処理がユーザに好みの走行シーンの選択を促す手段に相当し、Ｓ４００の処理が番組表情報生成手段に相当し、Ｓ４０２の処理が情報提供手段に相当し、Ｓ２０６の処理が情報提供可否判定手段に相当し、Ｓ２１０の処理が番組再生確認画面表示手段に相当する。
【図面の簡単な説明】
【００７５】
【図１】本発明に係る車載情報提供装置の全体構成を示す図である。
【図２】行動パターン情報とユーザ嗜好情報についての説明図である。
【図３】制御回路によるユーザ嗜好の学習機能についての説明図である。
【図４】制御回路による番組生成処理を示す図である。
【図５】番組生成処理におけるシーン判定処理のフローチャートである。
【図６】シーン選択画面の表示例を示す図である。
【図７】番組再生確認画面の表示例を示す図である。
【図８】番組生成処理によって生成されたタイムテーブルの一例を示す図である。
【符号の説明】
【００７６】
１…ナビゲーション装置、１１…位置検出部、１２…地磁気センサ、
１３…ジャイロスコープ、１４…距離センサ、１５…ＧＰＳ受信機、
１７…操作スイッチ群、１８…ＴＶチューナ、１９…ＦＭ・ＡＭチューナ、
２０…ＣＤドライブ、２１…ＤＶＤドライブ、２２…ＭＤドライブ、
２３…外部オーディオインタフェース、２４…制御回路、
２５…内部記憶媒体、２６…表示部、２７…音声出力部、
２８…外部情報入出力部、２９…リモコンセンサ、２９ａ…リモコン。 
【図１】
0004779545.tif 000002
【図２】
0004779545.tif 000003
【図３】
0004779545.tif 000004
【図４】
0004779545.tif 000005
【図５】
0004779545.tif 000006
【図６】
0004779545.tif 000007
【図７】
0004779545.tif 000008
【図８】
0004779545.tif 000009